【手続補正書】
【提出日】平成26年3月24日(2014.3.24)
【手続補正１】
【補正対象書類名】特許請求の範囲
【補正対象項目名】全文
【補正方法】変更
【補正の内容】
【特許請求の範囲】
【請求項１】
ステントグラフト搬送システムであって、
近位側アンカステントリングを含むステントグラフトと、
前記近位側アンカステントリングが、
近位側頂部と、
各前記近位側頂部から近位に延びるアンカピン構造体を有し、
前記アンカピン構造外体が、アンカピン連結アームとアンカピンとを含み、
前記アンカピン連結アームが、アンカピン連結ロングアームとアンカピン連結ショートアームと、を含み、
前記アンカピン連結ロングアームが前記アンカピン連結ショートアームより長い、
ことを特徴とするステントグラフト搬送システム。
【請求項２】
前記近位側アンカステントリングが、
遠位側頂部と、
前記近位側頂部および前記遠位側頂部の間に交互するストラットと、をさらに含む、
請求項１に記載のステントグラフト搬送システム。
【請求項３】
前記ステントグラフトが、
前記遠位側頂部に取付けられたグラフト材料をさらに含む、
請求項２に記載のステントグラフト搬送システム。
【請求項４】
前記ストラットが、
オフセットストラットと、
整列ストラットと、を含む
請求項２に記載のステントグラフト搬送システム。
【請求項５】
前記オフセットストラットが、前記アンカピン連結アームから円周方向にオフセットしている、
請求項４に記載のステントグラフト搬送システム。
【請求項６】
前記整列ストラットが、前記アンカピン連結アームと円周方向に整列している、
請求項４に記載のステントグラフト搬送システム。
【請求項７】
前記アンカピン連結アームが、前記整列ストラットの近位側延長部である、
請求項４に記載のステントグラフト搬送システム。
【請求項８】
前記近位側アンカステントリングが、繰返しパターンの前記オフセットストラットおよび前記整列ストラットを含む、
請求項４に記載のステントグラフト搬送システム。
【請求項９】
前記遠位側頂部が、１対の前記オフセットストラットまたは１対の前記整列ストラットのどちらかに連結されている、
請求項４に記載のステントグラフト搬送システム。
【請求項１０】
他の全ての前記遠位側頂部が、１対の前記整列ストラットに連結され、前記他の全ての前記遠位側頂部の間の遠位側頂部が、１対の前記オフセットストラットに連結されている、
請求項４に記載のステントグラフト搬送システム。
【請求項１１】
前記アンカピン連結ロングアームおよび前記アンカピン連結ショートアームが、前記アンカピンを長手方向に片寄等オフセットさせる、
請求項１に記載のステントグラフト搬送システム。
【請求項１２】
前記近位側アンカステントリングが、交互パターンの前記アンカピン連結ロングアームおよび前記アンカピン連結ショートアームを含む、
請求項１１に記載のステントグラフト搬送システム。
【請求項１３】
前記アンカピン連結ショートアームが、前記アンカピン連結ロングアームの間にある、
請求項１２に記載のステントグラフト搬送システム。
【請求項１４】
各前記アンカピン連結ロングアームが、第１の円周方向のアンカピン連結ショートアームの隣あり、及び、反対側の第２の円周方向で間隔をおいて離れているアンカピン連結ショートアームから離れている、
請求項１１に記載のステントグラフト搬送システム。
【請求項１５】
アンカピン連結ロングアームおよび隣接アンカピン連結ショートアーム間の距離が、前記ストラット間の距離に等しい、
請求項１４に記載のステントグラフト搬送システム。
【請求項１６】
アンカピン連結ロングアームおよび空隙を介しているアンカピン連結ショートアーム間の距離が、前記ストラットの幅の２倍＋前記ストラットの間の距離の３倍に等しい、
請求項１４に記載のステントグラフト搬送システム。
【請求項１７】
前記近位側アンカステントリングが、前記アンカピン連結ショートアームから近位側に延びたショートアーム延長部と、前記ショートアーム延長部の近位端に連結した延長部アンカピンと、をさらに含む、
請求項１に記載のステントグラフト搬送システム。
【請求項１８】
前記アンカピンが、前記アンカピン連結アームの近位端に連結されている、
請求項１に記載のステントグラフト搬送システム。
【請求項１９】
前記アンカピンが、鋭くとがった先端を含む、
請求項１に記載のステントグラフト搬送システム。
【請求項２０】
近位側アンカステントリングを含むステントグラフトであって、
近位側アンカステントリングが、
近位側頂部と、
遠位側頂部と、
それぞれの前記近位側頂部から近位に延びるアンカピン構造体と、
アンカピン連結アームおよびアンカピンを含む前記アンカピン構造体と、
記近位側頂部および前記遠位側頂部の間で交互するストラットと、を含み、
前記ストラットが、前記アンカピン連結アームから円周方向にオフセットするオフセットストラットと、前記アンカピン連結アームに円周方向に整列した整列ストラットとを含み、
前記アンカピン連結アームが、前記整列ストラットの近位の延長部であり、
前記ステントグラフトが、前記遠位側頂部に取り付けられたグラフト材料をさらに備えている、
ことを特徴とするステントグラフト。
【請求項２１】
前記遠位の頂端が、一対の前記オフセットストラットまたは一対の前記整列ストラットのどちらかに連結されている、
請求項２０に記載のステントグラフト。
【請求項２２】
他の全ての前記遠位側頂部が、一対の前記整列ストラットに連結され、他の全ての前記遠位側頂部の間の遠位側頂部が、一対の前記オフセットストラットに連結されている、
請求項２０に記載のステントグラフト。
【請求項２３】
前記アンカピン連結アームが、アンカピン連結ロングアームと、アンカピン連結ショートアームと、を含み、
前記アンカピン連結ロングアームが、前記アンカピン連結ショートアームより長い、
請求項２０に記載のステントグラフト。
【請求項２４】
前記アンカピン連結ショートアームが、前記アンカピン連結ロングアーム間にある、
請求項２３に記載のステントグラフト。
【請求項２５】
各前記アンカピン連結ロングアームが、隣接アンカピン連結ショートアームの第１の円周方向のすぐ隣にあり、反対側の第２の円周方向の離れたアンカピン連結ショートアームから間隔を置いて離れている、
請求項２３に記載のステントグラフト。
【請求項２６】
アンカピン連結ロングアームと隣接アンカピン連結ショートアームの間の距離が、前記ストラット間の距離に等しい、
請求項２５に記載のステントグラフト。
【請求項２７】
アンカピン連結ロングアームと空隙を介して離れているアンカピン連結ショートアームの間の距離が、前記ストラットの幅の２倍＋前記ストラット間の距離の３倍に等しい、
請求項２５に記載のステントグラフト。
【請求項２８】
近位側アンカステントリングを含むステントグラフトを含むステントグラフト搬送システムであって、
近位側アンカステントリングが、近位側頂部と、各前記近位側頂部から近位側に延びるアンカピン構造体と、を含み、
前記アンカピン構造体が、アンカピン連結アームおよびアンカピンを含み、
前記近位側頂部と前記アンカピン連結アームと前記アンカピンが、スピンドルピン受け部を規定し、
スピンドルが、スピンドル本体と、前記スピンドル本体から半径方向外向きに前記スピンドルピン受け部の中に突出しているスピンドルピンと、前記近位側アンカステントリングを半径方向に拘束するスリーブを含むビュレットチップと、を備えている、
ことを特徴とするステントグラフト搬送システム。
【請求項２９】
インナチューブ、前記インナチューブに取り付けられた前記ビュレットチップをさらに含む、
請求項２８に記載のステントグラフト搬送システム。
【請求項３０】
中間部材、前記中間部材に取り付けられた前記スピンドル、前記中間部材および前記スピンドルを通して延びている前記インナチューブをさらに含む、
請求項２９に記載のステントグラフト搬送システム。
【請求項３１】
前記インナチューブおよび前記中間部材がその中を伸張する１次シース（sheath）をさらに含む、
請求項３０に記載のステントグラフト搬送システム。